(57)【要約】【課題】マンホール蓋の持ち上げ作業、持ち上げたマンホール蓋の反転作業、反転したマンホール蓋の移動作業を人力によっても一連に、簡単容易に行なえるようにする。【解決手段】開閉すべきマンホール蓋Ｃによって施蓋してある開口部外側に配置する移動可能な本体ベース１と、マンホール蓋Ｃに着脱自在に連結する連繋支持シャフト１５を下端に有し、後部の上下部位にガイドローラー３５を備えて成るガイド手段３０を設けたリフト部材１０と、本体ベース１の後部上に立脚状に連結固定して、ガイドローラー３５に噛み合うことでリフト部材１０自体を昇降させるよう、昇降機構５１を備えたガイドポスト４５を有する昇降操作部材４０とを備えて成る。本体ベース１の内方にリフト部材１０を配置した後、昇降操作部材４０の下部を本体ベース１に連結固定し、ガイドポスト４５をガイド手段３０のガイドローラー３５に噛み合わせることで組み立てる。【選択図】図８
2008095411.tif 000002
【特許請求の範囲】
【請求項１】
開閉すべきマンホール蓋が施蓋されているマンホール開口部外側に移動可能な本体ベースを配置する第１工程と、本体ベースに昇降自在に連結支持してあるリフト部材の連繋支持シャフトをマンホール蓋に固定する第２工程と、本体ベースに設けてある昇降機構によってリフト部材をガイド手段を介して案内して持ち上げる第３工程と、マンホール蓋を本体ベースの移動によって所定箇所に移動させる第４工程と、本体ベースの移動によってマンホール蓋を施蓋位置に再度位置決め準備する第５工程と、リフト部材の下降によってマンホール蓋をマンホール開口部に位置決め固定する第６工程と、マンホール蓋から連繋支持シャフトを解放する第７工程とから成ることを特徴としたマンホール蓋の開閉方法。
【請求項２】
第２工程には、連繋支持シャフトの端部開口にジャッキ部材のジャッキフォークを嵌め込み、ジャッキ部材による持ち上げによってマンホール蓋周囲のシール剤を引き剥がし、マンホール開口部からマンホール蓋を縁切りすることを含む請求項１に記載のマンホール蓋の開閉方法。
【請求項３】
第４工程あるいは第５工程には、マンホール蓋の清掃、マンホール内の点検を含む請求項１または２に記載のマンホール蓋の開閉方法。
【請求項４】
第４工程あるいは第５工程には、持ち上げたマンホール蓋を連繋支持シャフトを回転中心として反転させ、また反転復帰させることを含む請求項１乃至３のいずれかに記載のマンホール蓋の開閉方法。
【請求項５】
開閉すべきマンホール蓋が施蓋されているマンホール開口部外側に配置される移動可能な本体ベースと、マンホール蓋に着脱自在に連結される連繋支持シャフトを下端に有し、後部の上下部位にガイドローラーを備えて成るガイド手段を設けたリフト部材と、本体ベースの後部上に立脚状に連結固定され、ガイドローラーに噛み合うことでリフト部材自体を昇降させるよう、昇降機構を備えたガイドポストを有する昇降操作部材とを備えて成ることを特徴とするマンホール蓋の開閉装置。
【請求項６】
本体ベースは、平面からみて前方が開放されたほぼコ字形を呈し、奥部位に昇降操作部材、リフト部材を位置決め連繋させる支持台座を設けて成る請求項５に記載のマンホール蓋の開閉装置。
【請求項７】
リフト部材は、本体ベース内に位置決め配置されるよう平面からみて前方が開放されたほぼコ字形を呈するベースフレームに、マンホール蓋に連結される連繋支持シャフト、昇降操作部材に沿ってリフト部材自体を昇降させるときのガイド手段を設けて成る請求項５または６に記載のマンホール蓋の開閉装置。
【請求項８】
連繋支持シャフトは、ベースフレームに連結した支持アーム相互間に揺転自在に支承してあり、マンホール蓋における取付孔位置に対応する連繋孔を開穿し、この連繋孔には、取付孔内で係止する取付ボルト部材が貫挿され、連繋支持シャフトの上面に当接して取付ボルト部材にねじ止めされるナット部材によって取付ボルト部材を介して、連繋支持シャフトがマンホール蓋に連繋されるようにしている請求項５乃至７のいずれかに記載のマンホール蓋の開閉装置。
【請求項９】
連繋支持シャフトには、少なくともいずれか一方の端部開口にジャッキ部材が着脱できるようにしてあり、このジャッキ部材は、油圧部を内蔵したジャッキ本体の下端にジャッキフォークを連結し、油圧を供給するよう揺動操作するハンドルをジャッキ本体の上部に連繋して成る請求項５乃至８のいずれかに記載のマンホール蓋の開閉装置。
【請求項１０】
ベースフレームは、平面からみて前方が開放されたほぼコ字形を呈する第１フレームと、この第１フレームの左右部上に端部が固定され、奥部側が上方に位置するように側方から見て奥部側に至るに伴い次第に傾斜立ち上がっていて、平面でほぼコ字形を呈する第２フレームと、下位置の第１フレームの奥部と上位置の第２フレームの奥部の上下間で連結配置したガイド柱とから成る請求項５乃至９のいずれかに記載のマンホール蓋の開閉装置。
【請求項１１】
昇降操作部材は、リフト部材に連結させる連結部と、リフト部材におけるガイド手段に噛み合い、リフト部材自体を昇降案内させるガイドポストと、リフト部材に連繋してリフト部材を昇降させる昇降機構とを備えて成る請求項５乃至１０のいずれかに記載のマンホール蓋の開閉装置。
【請求項１２】
リフト部材におけるガイド手段は、ガイドポストに対する下位置ではガイドポストの前後部に配される前後部のガイドローラーを回転自在に支承した下部案内体と、同じくガイドポストに対する上位置ではガイドポストの後部に配される後部のガイドローラーを回転自在に支承した上部案内体とをガイド柱の上下部に設けて成る請求項５乃至１１のいずれかに記載のマンホール蓋の開閉装置。
【請求項１３】
上下部の案内体は、リフト部材のガイド柱に固定した軸支プレートにローラーシャフトを固定すると共に、ガイドポストに固定した断面で山形状のガイドプレートに当接案内されるほぼ鼓型を呈するガイドローラーをカラーを介してローラーシャフトに支承して成る請求項１２に記載のマンホール蓋の開閉装置。
【請求項１４】
昇降機構は、ガイドポストの上部に固定されていて、リフト部材に着脱自在に連繋される牽引索を引き出しあるいは巻き取る巻取ドラムと、この巻取ドラムを回転操作するハンドルとを少なくとも備えて成る請求項５乃至１３のいずれかに記載のマンホール蓋の開閉装置。
【請求項１５】
開閉すべきマンホール蓋が施蓋されているマンホール開口部外側に配置される移動可能な本体ベースと、マンホール蓋に着脱自在に連結される連繋支持シャフトを下端に有し、後部の上下部位にガイドローラーを備えて成るガイド手段を設けたリフト部材と、本体ベースの後部上に立脚状に連結固定され、ガイドローラーに噛み合うことでリフト部材自体を昇降させるよう、昇降機構を備えたガイドポストを有する昇降操作部材とを備えて成るマンホール蓋の開閉装置の組立方法であって、本体ベースの左右側部相互間にリフト部材の左右側部を位置合わせして、ガイド手段下部を本体ベース後部に設けた支持台座上に載せ、次に昇降操作部材における連結支柱を本体ベースの支持台座における連結筒に嵌め合わせると共に、ガイドポストをガイドローラーに噛み合わせることで、本体ベース上に昇降操作部材を立脚配置し、また、昇降機構における牽引索をリフト部材に連繋することで、昇降操作部材の昇降操作によってリフト部材を昇降できるようにすることを特徴としたマンホール蓋の開閉装置の組立方法。
【発明の詳細な説明】
【技術分野】
【０００１】
本発明は、相当に重量があるマンホール蓋の開閉作業において、マンホール蓋をマンホール開口部の開閉設置箇所から持ち上げる作業、持ち上げたマンホール蓋を反転させる作業、反転したマンホール蓋を移動させる作業等を一連化させて行なうために使用されるマンホール蓋の開閉方法及びその開閉装置、この開閉装置の組立方法に関する。
【背景技術】
【０００２】
従来から、重量が例えば１６３ｋｇ程度を有するマンホール蓋を、これが設置されているマンホール開口部の開閉設置箇所から取り外し、持ち上げてから移動させるには、人力では極めて困難であるために様々な機械的構成によるマンホール蓋開閉装置が提供されている。例えば特許文献１に開示されているように、マンホール蓋に引っ掛け部材を介して着脱可能に連結される連結部材を台車にリンク部材で連結し、このリンク部材をアクチュエータによって水平に押し上げるマンホール蓋の押上装置が存在する。
【０００３】
また、特許文献２に開示されているように、外フレームに対し内フレームを枢支部の廻りにジャッキで揺動させ、該枢支部を支点とし、ジャッキ位置を力点とし、内フレームに取り付けられているフック手段位置を荷重の作用点とすることで内フレームのテコ作用によってマンホール蓋を略水平に吊上げてから移動可能にしたマンホール蓋の開閉装置が存在する。
【０００４】
さらに、特許文献３に開示されているように、フックをマンホール蓋の鍵穴に係合してから把手を倒すことによって車輪を支点としたテコの原理によってマンホール蓋を略水平状態に開閉するマンホール蓋操作用具が存在する。
【０００５】
さらにまた、特許文献４に開示されているように、車輪によって移動可能とした油圧式ジャッキ本体に固定されている横長の支持部材の長孔からフック棒を貫通垂下させ、このフック棒の先端フック部をマンホール蓋の鍵穴に係合してからジャッキで水平に引き上げて移動させるマンホール蓋の開閉装置が存在する。
【特許文献１】実開平６−３２４１２号公報
【特許文献２】実公昭５８−３８８３号公報
【特許文献３】実開平６−４９５３３号公報
【特許文献４】特開平７−２７９１８９号公報
【発明の開示】
【発明が解決しようとする課題】
【０００６】
しかしながら、このような従来の開閉装置の例においては、マンホール開閉作業において、マンホール蓋を開閉設置箇所における開口部から、開口部周縁の隙間をシールしている固着材（シール剤）を片側から剥離しながら持ち上げる作業、持ち上げたマンホール蓋を反転させる作業、反転したマンホール蓋を移動させる作業等を一連化させて行なうためのマンホール蓋の開閉装置は存在しない。
【０００７】
すなわち、殆どのマンホール蓋の開閉装置はマンホール蓋を水平に持ち上げるため、マンホール蓋とこのマンホール蓋周縁の設置開口部との間に充填シールされている固着材を剥離するには、マンホール蓋全体を引き上げる過大な引き上げ力を要するから、開閉作業自体が非常に困難となっている。
【０００８】
また、従来のマンホール蓋の開閉装置では、マンホール蓋を水平に持ち上げた状態のままの姿勢で水平移動させるだけで、マンホール蓋を持ち上げてから反転できないため、マンホール蓋の裏面の点検もしくは清掃等が行い難い。また従来では中蓋をした状態で上蓋を反転できないため、開閉時にはマンホール蓋の設置開口部内へゴミ等を落下させる危険性がある等の諸々の問題点を有していた。しかも、これらのマンホール蓋の持ち上げ、反転等を作業員が人力で行うには、相当な体力を必要とし、またそのために無理な姿勢が強いられることで肉体障害の一因ともなっている。
【０００９】
そこで、本発明は叙上のような従来存した諸事情に鑑み創出されたもので、マンホール蓋の開閉作業において、マンホール蓋を開閉設置箇所からマンホール蓋周縁のシール剤等を剥離しながら持ち上げる作業、持ち上げたマンホール蓋を反転させる作業、反転したマンホール蓋を移動させる作業等を一連に行なうことができるようにする。またマンホール蓋の持ち上げ作業においては、マンホール蓋と設置開口部との間にシールされているシール剤を片側から剥離しながら容易に引き剥がし持ち上げることができるようにする。さらにマンホール蓋の反転によってマンホール蓋の裏面の点検もしくは清掃等も容易に行え、しかも中蓋をした状態で上蓋を反転できることで、開閉時にマンホール蓋の設置開口部内へのゴミ等の落下を未然に防止できるようにする。そしてまた作業現場に容易に搬入でき、組立解体が自在で、しかも動力源を要せず人力で簡単に作業できるものとしたマンホール蓋の開閉方法及びその開閉装置、この開閉装置の組立方法を提供することを目的とする。
【課題を解決するための手段】
【００１０】
上述した課題を解決するため、本発明に係るマンホール蓋の開閉方法にあっては、開閉すべきマンホール蓋が施蓋されているマンホール開口部外側に移動可能な本体ベース１を配置する第１工程と、本体ベース１に昇降自在に連結支持してあるリフト部材１０の連繋支持シャフト１５をマンホール蓋Ｃに固定する第２工程と、本体ベース１に設けてある昇降機構５１によってリフト部材１０をガイド手段３０を介して案内して持ち上げる第３工程と、マンホール蓋Ｃを本体ベース１の移動によって所定箇所に移動させる第４工程と、本体ベース１の移動によってマンホール蓋Ｃを施蓋位置に再度位置決め準備する第５工程と、リフト部材１０の下降によってマンホール蓋Ｃをマンホール開口部に位置決め固定する第６工程と、マンホール蓋Ｃから連繋支持シャフト１５を解放する第７工程とから成ることを特徴とする。
そして、第２工程には、連繋支持シャフト１５の端部開口にジャッキ部材２０のジャッキフォーク２２を嵌め込み、ジャッキ部材２０による持ち上げによってマンホール蓋Ｃ周囲のシール剤を引き剥がし、マンホール開口部からマンホール蓋Ｃを縁切りすることを含むことができる。
第４工程あるいは第５工程には、マンホール蓋Ｃの清掃、マンホール内の点検を含むことができる。
更には第４工程あるいは第５工程には、持ち上げたマンホール蓋Ｃを連繋支持シャフト１５を回転中心として反転させ、また反転復帰させることを含むことができる。
また、本発明に係るマンホール蓋の開閉装置にあっては、開閉すべきマンホール蓋Ｃが施蓋されているマンホール開口部外側に配置される移動可能な本体ベース１と、マンホール蓋Ｃに着脱自在に連結される連繋支持シャフト１５を下端に有し、後部の上下部位にガイドローラー３５を備えて成るガイド手段３０を設けたリフト部材１０と、本体ベース１の後部上に立脚状に連結固定され、ガイドローラー３５に噛み合うことでリフト部材１０自体を昇降させるよう、昇降機構５１を備えたガイドポスト４５を有する昇降操作部材４０とを備えて成ることを特徴とする。
本体ベース１は、平面からみて前方が開放されたほぼコ字形を呈し、奥部位に昇降操作部材４０、リフト部材１０を位置決め連繋させる支持台座５を設けて成る。
リフト部材１０は、本体ベース１内に位置決め配置されるよう平面からみて前方が開放されたほぼコ字形を呈するベースフレーム１１に、マンホール蓋Ｃに連結される連繋支持シャフト１５、昇降操作部材４０に沿ってリフト部材１０自体を昇降させるときのガイド手段３０を設けて成る。
連繋支持シャフト１５は、ベースフレーム１１に連結した支持アーム１６相互間に揺転自在に支承してあり、マンホール蓋Ｃにおける取付孔Ｃ１位置に対応する連繋孔１５Ａを開穿し、この連繋孔１５Ａには、取付孔Ｃ１内で係止する取付ボルト部材１５Ｂが貫挿され、連繋支持シャフト１５の上面に当接して取付ボルト部材１５Ｂにねじ止めされるナット部材１５Ｃによって取付ボルト部材１５Ｂを介して、連繋支持シャフト１５がマンホール蓋Ｃに連繋されるようにしている。
連繋支持シャフト１５には、少なくともいずれか一方の端部開口にジャッキ部材２０が着脱できるようにしてあり、より具体的は、このジャッキ部材２０は、油圧部を内蔵したジャッキ本体２１の下端にジャッキフォーク２２を連結し、油圧を供給するよう揺動操作するハンドル２３をジャッキ本体２１の上部に連繋して成る。
ベースフレーム１１は、平面からみて前方が開放されたほぼコ字形を呈する第１フレーム１２と、この第１フレーム１２の左右部上に端部が固定され、奥部側が上方に位置するように側方から見て奥部側に至るに伴い次第に傾斜立ち上がっていて、平面でほぼコ字形を呈する第２フレーム１３と、下位置の第１フレーム１２の奥部と上位置の第２フレーム１３の奥部の上下間で連結配置したガイド柱１４とから成る。
昇降操作部材４０は、リフト部材１０に連結させる連結部４１と、リフト部材１０におけるガイド手段３０に噛み合い、リフト部材１０自体を昇降案内させるガイドポスト４５と、リフト部材１０に連繋してリフト部材１０を昇降させる昇降機構５１とを備えて成る。
リフト部材１０におけるガイド手段３０は、ガイドポスト４５に対する下位置ではガイドポスト４５の前後部に配される前後部のガイドローラー３５を回転自在に支承した下部案内体３１と、同じくガイドポスト４５に対する上位置ではガイドポスト４５の後部に配される後部のガイドローラー３５を回転自在に支承した上部案内体３２とをガイド柱１４の上下部に設けて成る。
上下部の案内体３１，３２は、リフト部材１０のガイド柱１４に固定した軸支プレート３３にローラーシャフト３４を固定すると共に、ガイドポスト４５に固定した断面で山形状のガイドプレート４６に当接案内されるほぼ鼓型を呈するガイドローラー３５をカラー３６を介してローラーシャフト３４に支承して成る。
昇降機構５１は、ガイドポスト４５の上部に固定されていて、リフト部材１０に着脱自在に連繋される牽引索５２を引き出しあるいは巻き取る巻取ドラム５３と、この巻取ドラム５３を回転操作するハンドル５５とを少なくとも備えて成る。
更に本発明に係るマンホール蓋の開閉装置の組立方法にあっては、上記の本体ベース１、リフト部材１０、昇降操作部材４０を備えて成るマンホール蓋の開閉装置において、本体ベース１の左右側部相互間にリフト部材１０の左右側部を位置合わせして、ガイド手段３０下部を本体ベース１後部に設けた支持台座５上に載せ、次に昇降操作部材４０における連結支柱４３を本体ベース１の支持台座５における連結筒７に嵌め合わせると共に、ガイドポスト４５をガイドローラー３５に噛み合わせることで、本体ベース１上に昇降操作部材４０を立脚配置し、また、昇降機構５１における牽引索５２をリフト部材１０に連繋することで、昇降操作部材４０の昇降操作によってリフト部材１０を昇降できるようにすることを特徴とする。
【００１１】
以上のように構成された本発明に係るマンホール蓋の開閉方法及び開閉装置、この開閉装置の組立方法にあって、本体ベース１にリフト部材１０を組み合わせ、また本体ベース１に立脚固定した昇降操作部材４０に昇降案内されるように昇降操作部材４０をリフト部材１０に組み合わせることで、リフト部材１０に連繋したマンホール蓋Ｃを昇降操作部材４０の操作でマンホールの開口部から持ち上げでき、マンホール蓋Ｃ自体の清掃、マンホール内の点検作業等のための内外の出入りを円滑にさせる。
平面でコ字形を呈する本体ベース１とリフト部材１０のベースフレーム１１とが組み合わせられ、本体ベース１の後部に昇降操作部材４０を立脚状に組み合わせて成ることで、所定のマンホール開口部等のマンホール蓋Ｃを囲繞するように外方に配置でき、持ち上げ作業、反転作業を行わせ、また移動させる。
リフト部材１０の連繋支持シャフト１５は、マンホール蓋Ｃの取付孔Ｃ１に係止して連繋孔１５Ａに貫挿した取付ボルト部材１５Ｂにナット部材１５Ｃをねじ止めすることで、マンホール蓋Ｃを連結支持する。連結支持時で、昇降操作部材４０による持ち上げ作用によって開口部上方にマンホール蓋Ｃを持ち上げ、所定の高さの上方位置では、支持アーム１６に揺転自在に支承した連繋支持シャフト１５を回転中心の軸として揺転させることでマンホール蓋Ｃを反転させる。このマンホール蓋Ｃの反転操作は、マンホール開口部位置でも、マンホール開口部から離れた場所でもいずれでも行え、それを任意に選択させる。
また、連繋支持シャフト１５の端部開口にジャッキフォーク２２を嵌め込むことで連繋支持シャフト１５に連繋されたジャッキ部材２０は、これのハンドル２３操作で連繋支持シャフト１５自体を持ち上げ、例えばマンホール蓋Ｃの周囲のシール剤等を例えば片側ずつでも剥離してマンホール蓋Ｃを縁切りし、これの持ち上げ作業を円滑にさせる。
昇降操作部材４０における昇降機構５１のハンドル５５操作は、牽引索５２を引き出しあるいは巻き取らせて牽引索５２端に連結したリフト部材１０を昇降させる。リフト部材１０の昇降に際し、ベースフレーム１１における第１フレーム１２、第２フレーム１３の奥部の上下相互間はガイド柱１４によって固定されて一体化されていることと相俟ち、ガイド柱１４に配した上下部の案内体３１，３２はガイドポスト４５によって昇降案内されるとき、ガイドポスト４５に対して上下位置で噛み合うため、安定性を良好にし、持ち上げたマンホール蓋Ｃ等の重量によっても大きくは傾斜されない。
ガイドポスト４５に噛み合って上下方向に沿って移動案内される案内体３１，３２は、ガイドポスト４５に固定したガイドプレート４６にほぼ鼓型のガイドローラー３５がしっくりと当接係合して安定的に噛み合い、ガイドポスト４５に沿ったリフト部材１０自体の昇降案内を円滑にさせる。
本体ベース１に対するリフト部材１０の位置決め組み合わせ、リフト部材１０のガイド手段３０にガイドポスト４５を噛み合わせての昇降操作部材４０の本体ベース１に対する立脚配置、更に昇降機構５１の牽引索５２のリフト部材１０との連繋は、本体ベース１、リフト部材１０、昇降操作部材４０の３部材を現場においても簡単に組立させる。また、これらの解体は、それぞれの部材に簡単に纏めさせ、全体をコンパクトにさせ、現場からの撤去、現場での搬出入等を容易にさせる。
【発明の効果】
【００１２】
上述した本発明によれば、マンホール蓋Ｃの開閉作業において、マンホール蓋Ｃを開口設置箇所から固着シール用のシール剤等を剥離しながら持ち上げる作業、持ち上げたマンホール蓋Ｃを反転させる作業、反転したマンホール蓋Ｃを移動させる作業等を一連に行なうことができる。またマンホール蓋Ｃの持ち上げ作業においては、昇降操作部材４０の昇降機構５１のハンドル５５操作で、現場における他の動力源を要せずに人力によって容易に行うことができる。さらにマンホール蓋Ｃの反転によってマンホール蓋Ｃの裏面の点検もしくは清掃等も簡単になり、しかも中蓋をした状態で上蓋を反転できることで、開閉時にマンホール蓋Ｃの設置開口部内へのゴミ等の落下を未然に防止できる。そればかりでなく、本体ベース１、リフト部材１０、昇降操作部材４０等に分離解体でき、コンパクトに纏められることで、現場への搬入、現場での組立、現場からの撤去移動その他も簡単であり、作業能率を大きく向上できる。
【００１３】
すなわちこれは本発明が、開閉すべきマンホール蓋Ｃが施蓋されているマンホール開口部外側に配置される移動可能な本体ベース１と、マンホール蓋Ｃに着脱自在に連結される連繋支持シャフト１５を下端に有し、後部の上下部位にガイドローラー３５を備えて成るガイド手段３０を設けたリフト部材１０と、本体ベース１の後部上に立脚状に連結固定され、ガイドローラー３５に噛み合うことでリフト部材１０自体を昇降させるよう、昇降機構５１を備えたガイドポスト４５を有する昇降操作部材４０とを備えて成るからである。これによって、マンホール蓋Ｃの持ち上げ、持ち上げ後の反転、移動作業等を簡単にし、迅速化を図り、施工性の改善、安全性の向上が得られ、分離解体・組立による搬入、撤去の容易性等をも実現でき、作業効率を高める等の利点がある。
【００１４】
また、本体ベース１及びこれに組み合わせられるリフト部材１０のベースフレーム１１は、平面からみて前方が開放されたほぼコ字形を呈しているから、開閉すべきマンホール蓋Ｃの外側に配置でき、ベースフレーム１１の連繋支持シャフト１５をマンホール蓋Ｃに簡単に連結固定できる。そのため、本体ベース１を台座として、この本体ベース１に立脚させた昇降操作部材４０の昇降作動によって、リフト部材１０を介してマンホール蓋Ｃを簡単に昇降でき、また所定の高さ位置でマンホール蓋Ｃを反転できる。
【００１５】
リフト部材１０の連繋支持シャフト１５は、この連繋支持シャフト１５を取付孔Ｃ１との係止による取付ボルト部材１５Ｂ、ナット部材１５Ｃを介するねじ止めでマンホール蓋Ｃに連結でき、また連繋支持シャフト１５自体はベースフレーム１１に連結した支持アーム１６相互間に揺転自在に支承してあるから、マンホール蓋Ｃを連結した連繋支持シャフト１５を回転中心の軸として揺転でき、マンホール蓋Ｃを持ち上げた状態で反転できる。そのため、マンホール蓋Ｃ裏面の清掃をも簡単に行え、本体ベース１の移動によってそのまま他所に移動でき、マンホール等を開放できる。また、移動自在な本体ベース１によって、マンホール蓋Ｃを開放するときの通気口の位置がずれていてもマンホール蓋Ｃに対する連繋支持シャフト１５の取付調整や、マンホール蓋Ｃを閉めるときの上蓋飛散防止用のチェーンと中蓋カンヌキの位置調整も容易に行える。さらに、マンホール蓋Ｃの大小等の数種類の規格に対応可能で、汎用性の高いマンホール蓋Ｃ開閉用の工具となる。
【００１６】
また、リフト部材１０によって持ち上げたマンホール蓋Ｃは、マンホール開口部上方位置のその場でも、あるいは本体ベース１によって移動した後の所定箇所でもいずれでも反転でき、その清掃を容易にする。マンホール蓋Ｃを取り外し、開放したマンホールは、本体ベース１によってマンホール蓋Ｃを他の所定箇所に一時的にでも保管している間、作業員が簡単に出入りでき、マンホール内部等の点検を行うことができる。
【００１７】
連繋支持シャフト１５のいずれか一方の端部にジャッキ部材２０を着脱できるようにしてあるため、このジャッキ部材２０の油圧駆動による持ち上げ力で、例えばマンホール蓋Ｃの周囲がシール剤等で固着され、また塵埃等が詰まっていても、これらを剥離して縁切りし、片側ずつでも持ち上げできる。そのため、昇降操作部材４０を人力で操作するときでは、マンホール蓋Ｃを持ち上げる昇降機構５１の昇降力で十分となり、特別な動力源を要せず、作業員の人力でも十分に対応可能にしている。
【００１８】
昇降操作部材４０は、連結部４１を介してリフト部材１０に立脚状に固定された状態で、ガイド手段３０に噛み合うガイドポスト４５によってリフト部材１０と組み合わせられるから、昇降操作部材４０における昇降機構５１の昇降操作は本体ベース１、昇降操作部材４０に対してリフト部材１０によってマンホール蓋Ｃを昇降できる。また、これらの本体ベース１、リフト部材１０、昇降操作部材４０の各部材の組合せは、これらの各部材１，１０，４０が重量的には嵩張らずに構成できることと相俟ち、作業現場で作業員が特別な工具類を用いずとも簡単に行え、また分解も自在であるから、現場への搬入、現場での組立・解体撤去、搬出等も簡単であり、不使用時ではコンパクトに纏められることで邪魔にもならない。
【００１９】
昇降操作部材４０におけるガイドポスト４５は、このガイドポスト４５に対する下位置ではガイドポスト４５の前後部に配される前後部のガイドローラー３５を回転自在に支承した下部案内体３１と、同じくガイドポスト４５に対する上位置ではガイドポスト４５の後部に配される後部のガイドローラー３５を回転自在に支承した上部案内体３２とをガイド柱１４の上下部に設けて成るガイド手段３０と組み合わせられている。そのため、ガイドポスト４５に沿ってこれに噛み合い昇降するガイド手段３０を介して、昇降操作部材４０に対してリフト部材１０を円滑に昇降できる。
【００２０】
しかも、上下部の案内体３１，３２は、リフト部材１０のガイド柱１４に固定した軸支プレート３３にローラーシャフト３４を固定すると共に、ガイドポスト４５に固定した断面で山形状のガイドプレート４６に当接案内されるほぼ鼓型を呈するガイドローラー３５をカラー３６を介してローラーシャフト３４に支承して成るから、ガイドローラー３５によるガイドポスト４５との噛み合いはしっくりとし、ガイド手段３０はガイドポスト４５から外れることがないから、リフト部材１０をスムーズに昇降案内させる。
【００２１】
昇降機構５１は、リフト部材１０に着脱自在に連繋される牽引索５２を引き出しあるいは巻き取る巻取ドラム５３を回転操作するハンドル５５を備えているから、このハンドル５５を作業員の人力で操作でき、現場においても特別な動力源を要せずに簡単に作業を実施できる。
【００２２】
本体ベース１、リフト部材１０、昇降操作部材４０から成る本発明に係る開閉装置は、本体ベース１に対するリフト部材１０の位置決め組み合わせ、リフト部材１０のガイド手段３０にガイドポスト４５を噛み合わせての昇降操作部材４０の本体ベース１に対する立脚配置、更に昇降機構５１の牽引索５２のリフト部材１０との連繋で組み立てることができる。これらの本体ベース１、リフト部材１０、昇降操作部材４０の３部材の組み合わせは現場においても作業員の人力、手作業で簡単に組立ることができ、特別な動力、治具その他を要しない。また、これらの解体は、それぞれの部材に簡単に纏めさせ、全体をコンパクトにさせ、現場からの撤去、現場での搬出入等を容易にさせ、作業の効率性を大きく向上できる。
【００２３】
尚、上記の課題を解決するための手段、発明の効果の項夫々において付記した符号は、図面中に記載した構成各部を示す部分との参照を容易にするためのものである。本発明は、図面中の符号によって示された構造・形状等に限定されない。
【発明を実施するための最良の形態】
【００２４】
以下、図面を参照して本発明を実施するための最良の一形態を説明する。図において示される符号１は、マンホール蓋Ｃの持ち上げ作業、反転作業、移動作業等を一連化して行なうことが可能な本発明に係るマンホール蓋Ｃの開閉装置を構成する本体ベースである。この本体ベース１は、平面からみて前方が開放されたほぼコ字形を呈し、所定径のパイプ材を適宜に折曲することで形成され、図示例のように開放されている左右端部位、奥部における左右部位それぞれに移動用の自在車（キャスター）２を付設してある。この本体ベース１における左右側部相互間の幅員は、開閉すべきマンホール、ハンドホール等の如き配線埋設ボックスの開口部を閉塞しているマンホール蓋Ｃの両サイド外方に位置するように、マンホール蓋Ｃの外径・外形幅等に比し小さくはなく、マンホール蓋Ｃに相対的に位置決めするときのマンホール蓋Ｃの幅員に比し十分に余裕があるようにしてある（図１参照）。
【００２５】
また、本体ベース１には、その奥部位の左右に、後述するリフト部材１０、昇降操作部材４０それぞれを組合せ、組み立てるための支持台座５が設けられている。この支持台座５は、図８に示すように奥部枠底面に配置された支持プレート６と、この支持プレート６に立脚状に固定された後述の昇降操作部材４０連結のための筒状の連結筒７と、同じく支持プレート６上に形成した昇降操作部材４０及び後述のリフト部材１０を位置決めさせるための連繋部８とを備えている。連結筒７は、これの内部に昇降操作部材４０の連結支柱４３下端が例えば嵌め入れられ、本体ベース１自体の奥部枠に連結し、支持プレート６上面にも固着される支持片９によってしっかりと固着支持されている。連繋部８は、昇降操作部材４０のガイドポスト４５下端が嵌め込まれる柱状部８Ａと、リフト部材１０のガイドローラー３５が当接する断面で山形状を呈するストッパー部８Ｂとを有する。なお、支持プレート６底面には自在車２が配置されている。
【００２６】
本体ベース１にはリフト部材１０が組み合わせられる。このリフト部材１０は、本体ベース１内に位置決め配置されるベースフレーム１１に、マンホール蓋Ｃに連結される連繋支持シャフト１５、昇降操作部材４０に沿ってリフト部材１０自体を昇降させるときのガイド手段３０を設けて成る。
【００２７】
ベースフレーム１１は、本体ベース１における左右側部相互間の空隙部分内に位置決めされる。図示のように、平面からみて前方が開放されたほぼコ字形を呈する第１フレーム１２と、この第１フレーム１２の左右部上に端部が固定され、奥部側が上方に位置するように側方から見て奥部側に至るに伴い次第に傾斜立ち上がっていて、平面でほぼコ字形を呈する第２フレーム１３と、下位置の第１フレーム１２の奥部と上位置の第２フレーム１３の奥部の上下間で連結配置したガイド柱１４とから成る。第１フレーム１２、第２フレーム１３は所定径のパイプ材を折曲して形成され、ガイド柱１４はフレーム１２，１３それぞれの奥部の左右で連結された例えば角筒材としてある。
【００２８】
このベースフレーム１１における第１フレーム１２の左右側部の前端部には、この前端部に垂れ下がり状に連結した支持アーム１６相互間に、マンホール蓋Ｃを取り付け、引き上げるための角筒状の連繋支持シャフト１５を揺転自在に支承してある。この連繋支持シャフト１５自体は、左右の支持アーム１６内側面に固着してある例えば円形パイプ材の外側に嵌め合わすことでこの円形パイプ材が支軸となって揺転するようにしてある。また連繋支持シャフト１５における左右近傍部位には、マンホール蓋Ｃにおける取付孔Ｃ１位置に対応するよう長孔（スリット）状となっている連繋孔１５Ａを開穿してある。この連繋孔１５Ａは、取付孔Ｃ１内で係止するように下端に係止部を形成してある取付ボルト部材１５Ｂが貫挿され、マンホール蓋Ｃの取付孔Ｃ１に対する係止後で連繋支持シャフト１５の上面に当接するよう取付ボルト部材１５Ｂにねじ止めされるナット部材１５Ｃによって取付ボルト部材１５Ｂを介して、連繋支持シャフト１５がマンホール蓋Ｃに連繋されるようにしている（図７参照）。
【００２９】
また、連繋支持シャフト１５の端部開口にはジャッキ部材２０が着脱自在に連結される。このジャッキ部材２０は、マンホール等の開口部を閉塞しているマンホール蓋Ｃが、マンホール等の内部への異物等の侵入を防止すべく開口部内周縁とシール剤等によって止着されているとき等である場合、このシール剤から強制的に剥離してマンホール蓋Ｃを解放するものとしてある。すなわち図７に示すように、このジャッキ部材２０は、油圧部を内蔵したジャッキ本体２１の下端にジャッキフォーク２２を連結し、油圧を供給するよう揺動操作するハンドル２３をジャッキ本体２１の上部に連繋して成る。そして、少なくともいずれか一方の前記支持アーム１６の外方からジャッキフォーク２２を例えば円形パイプ材内に挿入することで連繋支持シャフト１５の端部開口に嵌め入れる。その後のジャッキ操作で連繋支持シャフト１５のいずれか一方を持ち上げ、この持ち上げた連繋支持シャフト１５によってマンホール蓋Ｃをマンホール等の開口部から、その片側ずつでも強制的に引き剥がして縁切りする。
【００３０】
なお、図中符号２５は、ベースフレーム１１における第１フレーム１２の左右側部のいずれか一方に水平方向で揺動自在にして前後に付設したストッパーである。このストッパー２５は、連繋支持シャフト１５によってマンホール蓋Ｃ持ち上げたとき、また反転後でマンホール蓋Ｃの揺転、ぶれ等を防止すべく、第１フレーム１２内方に水平方向で揺動突出させてマンホール蓋Ｃに係止するものとしてある。
【００３１】
そしてこのリフト部材１０における前記ガイド柱１４には、ガイド手段３０が設けられている。このガイド手段３０は、後述の昇降操作部材４０におけるガイドポスト４５に噛み合い、このガイドポスト４５に沿って案内されることでリフト部材１０自体を昇降案内させる。ガイド手段３０自体は図示のように、ガイドポスト４５に対する下位置ではガイドポスト４５の前後部に配される前後部のガイドローラー３５を回転自在に支承した下部案内体３１と、同じくガイドポスト４５に対する上位置ではガイドポスト４５の後部に配される後部のガイドローラー３５を回転自在に支承した上部案内体３２とをガイド柱１４の上下部に設けて成る。
【００３２】
これらの上下部の案内体３１，３２は図５に示すように、リフト部材１０の外方側でリフト部材１０の後方側に突出させてガイド柱１４に固定した軸支プレート３３にローラーシャフト３４を固定すると共に、内方が小径となるように左右で対となる裁頭円錐型のほぼ鼓型を呈するガイドローラー３５をカラー３６を介してローラーシャフト３３に支承することで形成してある。なお、後述のガイドポスト４５には、これの前後に断面で山形状のガイドプレート４６を固定してガイドローラー３５との当接案内が円滑になるように配慮してある。
【００３３】
上下部の案内体３１，３２の相違は、後部側のガイドローラー３５があるか否かであり、基本的には異ならない。ただ、後述するようにマンホール蓋Ｃを持ち上げたときの重量バランスを維持するために、上部案内体３２では後部側のガイドローラー３５のみとしてあるも、前部のガイドローラー３５も設けることは可能である。
【００３４】
また、リフト部材１０の後部には、昇降操作部材４０の昇降動作でリフト部材１０を昇降させるべく、昇降操作部材４０の牽引索５２のフック５４に連繋係合させるための係合部３８が、例えば第２フレーム１３の奥部中央部位に付設してある。
【００３５】
本体ベース１に組み合わせたリフト部材１０を昇降させるために、本体ベース１とリフト部材１０とに組み合わせられる昇降操作部材４０がある。この昇降操作部材４０は、リフト部材１０に連結させる連結部４１と、リフト部材１０におけるガイド手段３０に噛み合い、リフト部材１０自体を昇降案内させるガイドポスト４５と、リフト部材１０に連繋してリフト部材１０を昇降させるウインチの如き昇降機構５１とを備えて成る。
【００３６】
連結部４１は、ガイドポストにおける左右の立脚部分の下部相互間に横架された下部フレームバー４２に、本体ベース１における支持台座５の連結筒７に例えば嵌め入れられる連結支柱４３を固定して成る。図示にあっての下部フレームバー４２、連結支柱４３は所定径のパイプ材にて形成されているも、これに限定されず、また連結支柱４３の連結筒７内に対する嵌め入れは、内外で逆となるように連結支柱４３内に連結筒７が嵌め入れられるものであっても良い。
【００３７】
ガイドポスト４５は図示のように、左右の立脚部分を上部で連結することで門字状の一体型にした例えば所定径のパイプ材にて折曲して形成されている。そして左右の立脚部分は、リフト部材１０におけるガイド手段３０の上下部の案内体３１，３２に噛み合わせられ、また連結支柱４３が連結筒７に嵌め合わせられることで、昇降操作部材４０は本体ベース１上に立脚状に組み合わせられて支持される。
【００３８】
このガイドポスト４５における左右の立脚部分の前後には、上下部の案内体３１，３２の鼓型のガイドローラー３５ががたつくことなく、しっくりと当接して円滑に昇降案内されるように、断面で山形状を呈するガイドプレート４６が固着されている（図５参照）。このガイドプレート４６は例えばアングル材（山形鋼材）にて構成されている。
【００３９】
昇降機構５１は、門字形のガイドポスト４５の上部に固定されており、リフト部材１０に着脱自在に連繋されるワイヤの如き牽引索５２を引き出しあるいは巻き取る巻取ドラム５３と、この巻取ドラム５３を回転操作するハンドル５５とを少なくとも備える。また、この昇降機構５１にはストッパー手段５６を付設することもできるし、むしろ、安全上の逆転防止等のためにこのストッパー手段５６を設けることが望ましい。
【００４０】
巻取ドラム５３は、ガイドポスト４５に固定してあるドラム枠に回転自在に支承したドラム体に牽引索５２の末端を固定し、リフト部材１０における係合部３８に着脱自在に係合するフック５４を牽引索５２の先端に連結し、ドラム枠外に配したハンドル５５によってドラム体を回転するようにして成る。また、ストッパー手段５６はハンドル５５を回転操作してリフト部材１０を上昇させたとき、持ち上げるマンホール蓋Ｃの重量等で下降落下するのを、ハンドル５５回転を強制的に停止させることで阻止するもので、例えば解除操作が可能な一方向クラッチ構造としてある。
【００４１】
なお、図中符号５７は移動操作取っ手であり、昇降操作部材４０におけるガイドポスト４５の左右の立脚部分の上部相互間に横架された上部フレームバー４８に、昇降操作部材４０の後方に突出するように左右で固着形成してある。例えば所定径のパイプ材にて形成され、組立後の本発明マンホール蓋の開閉装置の移動作業等のために作業員の手指等によって握持され、操作される。
【００４２】
ストッパー手段５６とは別に安全停止手段６０を設けてある。この安全停止手段６０は、図４、図６に示すように昇降させたリフト部材１０をその昇降位置で昇降操作部材４０に関連付けて停止させておくのである。すなわちリフト部材１０に設けてあるガイド柱材６１と、昇降操作部材４０に設けてあるストッパー柱材６３と、それぞれの柱材に同位置で貫挿させる係合停止ピン材６５とから成る。
【００４３】
ガイド柱材６１は、リフト部材１０における第１フレーム１２の奥部、第２フレーム１３の奥部相互間で鉛直方向に沿って固定されており、例えばプレート状に形成され、前後方向で貫通したパイプ材製の挿通部６２を設けてある。ストッパー柱材６３は、昇降操作部材４０におけるガイドポスト４５の上部枠部分と下部フレームバー４２との相互間で鉛直方向に沿って固定されており、例えば所定肉厚・幅員の中空状の扁平角パイプ材にて形成されていて、上下に所定間隔毎にパイプ材製の挿通孔６４を開穿形成してある。そして持ち上げられたリフト部材１０における挿通部６２に対して、その挿通部６２位置にある所定の挿通孔６４を選択して、両者６２，６４に係合停止ピン材６５を挿通させることで、昇降操作部材４０に対して昇降させたリフト部材１０を位置決め停止させるようにしている。この停止位置等は、例えばリフト部材１０にてマンホール蓋Ｃを持ち上げときで、マンホール蓋Ｃをハンドホールその他のマンホールの開口部から引き剥がし、若干持ち上げ、必要に応じ移動させるに足りる上方位置であり、更に上昇させて反転させるに足りる上位置である等、特に限定されるものではない。
【００４４】
次にこれの組立、使用の一例を説明する。本発明のマンホール蓋の開閉装置は、作業現場においては各部材１，１０，４０毎に分離解体されている状態で搬入され、現場において組立使用される。先ず、本体ベース１を、開口すべきハンドホール等の開口部の外側に位置させて搬入することで仮置きする（図９参照）。次いで、この本体ベース１に対してリフト部材１０を位置合わせ組み立てる。すなわち本体ベース１における左右側部相互間の内部にリフト部材１０の左右側部を位置合わせすると共に、リフト部材１０のガイド手段３０下部を本体ベース１の支持台座５上に載せる（図１０参照）。その後、昇降操作部材４０の連結支柱４３を本体ベース１の連結筒７に嵌め入れることで昇降操作部材４０を本体ベース１に組み合わせる。一方、昇降操作部材４０のガイドポスト４５をリフト部材１０のガイド手段３０における上部案内体３２のガイドローラー３５に、同じく下部案内体３１の前後のガイドローラー３５間に噛み合わせるように組み合わせることで、昇降操作部材４０をリフト部材１０に立脚状にして組み合わせる。そして、昇降操作部材４０の昇降機構５１における巻取ドラム５３から引き出した牽引索５２のフック５４をリフト部材１０の係合部３８に係合し、昇降機構５１の操作でリフト部材１０を昇降できるようにしておく（図１１参照）。
【００４５】
次に、リフト部材１０における連繋支持シャフト１５をマンホール蓋Ｃの取付孔Ｃ１に位置決めし、図７に示すように連繋孔１５Ａに挿通した取付ボルト部材１５Ｂを取付孔Ｃ１に嵌め入れ係合し、ナット部材１５Ｃにて固定する。固定後は、連繋支持シャフト１５のいずれか一方の連繋支持シャフト１５の端部開口にジャッキ部材２０のジャッキフォーク２２を嵌め入れ、そのハンドル２３操作にて連繋支持シャフト１５を持ち上げることで、マンホール蓋Ｃ周囲のシール剤、詰まっている塵埃等を強制的にでも引き剥がし、またこれを片側からでも順次に解放して縁切りする。こうしておいて、昇降操作部材４０の昇降機構５１のハンドル５５を操作して牽引索５２によって牽引し、リフト部材１０を持ち上げることでマンホール蓋Ｃをも持ち上げる。所定位置まで持ち上げた後は、安全停止手段６０にてリフト部材１０の下降落下を阻止しておき、連繋支持シャフト１５を揺転軸とした揺転作業によってマンホール蓋Ｃを反転することで（図２参照）、マンホール蓋Ｃの裏面の清掃等を可能にし、また反転作業とは別に本体ベース１の自在車２によって所定箇所にマンホール蓋Ｃを運搬する。マンホール蓋Ｃの反転後は、ストッパー２５の水平面での揺動操作で、マンホール蓋Ｃの下方位置でマンホール蓋Ｃを支持することでマンホール蓋Ｃの逆方向の原位置への反転を阻止しておく。尚、マンホール蓋Ｃの反転、その反転復帰更には移動はいずれを先後とするかは任意であり、また、マンホール蓋Ｃの所定箇所への移動で開放したマンホールではこれの内外の作業員の出入りによってマンホール内部等の点検を行う。
【００４６】
また、マンホール蓋Ｃ裏面の清掃後、更にはマンホール内等の保守点検作業等の終了後では、閉塞すべき開口部位置にマンホール蓋Ｃを本体ベース１にて運搬する一方、ストッパー２５による反転停止を解放して正位置に復帰させ、閉蓋のために準備し位置決めする。位置決め後、昇降操作部材４０による下降操作でマンホール蓋Ｃを開口部位置に下降させて嵌め合わせ、連繋支持シャフト１５から解放、離反する。マンホール蓋Ｃの周囲をシール剤等でシールし、密閉する一方、本発明装置は、昇降操作部材４０、リフト部材１０を順次に本体ベース１から取り外し、それぞれの部材に解体、分離することでコンパクトにし、他の作業場所に搬送する。
【図面の簡単な説明】
【００４７】
【図１】本発明を実施するための最良の形態における使用状態の概略斜視図である。
【図２】同じくマンホール蓋の昇降作業中の側面図である。
【図３】同じくその平面図である。
【図４】同じくその正面図である。
【図５】同じくその要部拡大平面図である。
【図６】同じく安全停止手段を示し、その（Ａ）は側面図、（Ｂ）は平面図である。
【図７】同じくジャッキ部材を使用するときの側面図である。
【図８】同じく組立を示す分解概略斜視図である。
【図９】同じく組立手順を示し、その（Ａ）は本体ベースにおける平面図、（Ｂ）はその側面図である。
【図１０】同じくその（Ａ）は本体ベースにリフト部材を組み合わせるときの平面図、（Ｂ）はその側面図である。
【図１１】同じくその（Ａ）は更に昇降操作部材を組み合わせるときの平面図、（Ｂ）はその側面図である。
【符号の説明】
【００４８】
Ｃ…マンホール蓋                        Ｃ１…取付孔
１…本体ベース                          ２…自在車
５…支持台座                            ６…支持プレート
７…連結筒                              ８…連繋部
８Ａ…柱状部８                          ８Ｂ…ストッパー部
９…支持片
１０…リフト部材                        １１…ベースフレーム
１２…第１フレーム                      １３…第２フレーム
１４…ガイド柱                          １５…連繋支持シャフト
１５Ａ…連繋孔                          １５Ｂ…取付ボルト部材
１５Ｃ…ナット部材                      １６…支持アーム
２０…ジャッキ部材                      ２１…ジャッキ本体
２２…ジャッキフォーク                  ２３…ハンドル
２５…ストッパー
３０…ガイド手段                        ３１…下部案内体
３２…上部案内体                        ３３…軸支プレート
３４…ローラーシャフト                  ３５…ガイドローラー
３６…カラー                            ３８…係合部
４０…昇降操作部材                      ４１…連結部
４２…下部フレームバー                  ４３…連結支柱
４５…ガイドポスト                      ４６…ガイドプレート
４８…上部フレームバー
５１…昇降機構                          ５２…牽引索
５３…巻取ドラム                        ５４…フック
５５…ハンドル                          ５６…ストッパー手段
５７…移動操作取っ手
６０…安全停止手段                      ６１…ガイド柱材
６２…挿通部                            ６３…ストッパー柱材
６４…挿通孔                            ６５…係合停止ピン材
【図１】
2008095411.tif 000003
【図２】
2008095411.tif 000004
【図３】
2008095411.tif 000005
【図４】
2008095411.tif 000006
【図５】
2008095411.tif 000007
【図６】
2008095411.tif 000008
【図７】
2008095411.tif 000009
【図８】
2008095411.tif 000010
【図９】
2008095411.tif 000011
【図１０】
2008095411.tif 000012
【図１１】
2008095411.tif 000013